(57)【特許請求の範囲】
【請求項１】
機械、模型、成形用型等の基体の穴部またはへっこみ部に部品を打ち込み係合させる部品打込具であって、該部品打込具（１）は、基台（７）より起立して設けた一対の凹状荷台（２）を跨いで設けられた係止ピン（８）回りに回動自在にその略中央部が保持された長尺状アーム（３）と、該長尺状アームの長手方向の一端に設けられた切欠部（１０）を跨いで設けられたピン（９）回りに回動可能に保持されたハンマー（４）を備えており、該ハンマー（４）の頭部には打ち込む部品を係止することができる収納部（５）が設けられており、該収納部（５）が設けられた前記長尺状アーム（３）の他端を下降させることにより基体の穴部またはへっこみ部に前記部品が打ち込み可能であることを特徴とする部品打込具。
【請求項２】
前記長尺状アーム（３）には、前記ハンマー（４）を保持する切欠部（１０）箇所と凹状荷台（２）に係止ピン（８）回りに回動自在に保持された長尺状アーム（３）の略中央部の保持箇所との間の長尺状アーム（３）位置に上下方向に亘って部品突出部収納孔（６）が設けられていることを特徴とする請求項１に記載の部品打込具。
【請求項３】
請求項１に記載の部品打込具（１）の前記打ち込む部品を係止することができる収納部（５）に部品を係止させ、次いで該部品の挿入される頭の部分を基体に設けられた穴部またはへっこみ部に当接させた後、長尺状アーム（３）を下降させることにより、ハンマー（４）を上昇させて基体の穴部またはへっこみ部に前記部品を係合させることを特徴とする、部品の打ち込み方法。
【発明の詳細な説明】
【０００１】
【発明の属する技術分野】
本発明は、研削盤、研磨機、テンター延伸機、模型、成形金型等のフレームに潤滑油、冷却水を供給する注入口の配管アダプター、コネクター、ドライブブッシング等の部品を取り付けるのに有用な部品打込具および該部品打込具を用いてフレームに部品を打ち込む方法に関する。
【０００２】
【従来の技術】
例えば研削盤や研磨盤のワークを保持するテーブルを移動させるフレーム（レール）の摺動面に潤滑油の供給注入口の配管アダプターを取り付けるには、図５に示すように、フレーム１１の上面側より配管アダプター１２をネジ止めすることができる雌ネジ１３ａを軸の中央に設け、上面にはフレーム形状に合せたＶ溝１３ｂを、側面には潤滑油通路用溝１３ｃを有するボス１３（図６参照）が嵌合できる溝を彫り、この溝に周囲に液状接着剤１５を塗布したボス１３を嵌合させ、フレーム１１下面より配管アダプター１２の雄ネジ１２ａをボス１３の雌ネジ１３ａ部にネジ込み、ついでナット１２ｂを廻して配管アダプター１２をフレーム１１に固定し、配管アダプター１２に潤滑ポンプ（図示せず）に連結しているホース１４を結合していた。
【０００３】
しかし、この基体であるフレームへの配管アダプター１２の取り付けには、ボス１３の取り付け溝の切削に手間がかかると共に、液状接着剤１５の乾燥に一昼夜要し、次の研削盤、研削盤の組み立て工程に取り組むまで１日の無駄が生じると共に、液状接着剤の乾燥後、ボスの潤滑油通路用溝１３ｃに付着した接着剤を手作業で除いた後、ボスのＶ溝のＶ面とフレーム１１摺動面のＶ面を同一面とするため研磨加工する必要があった。
【０００４】
【発明が解決しようとする課題】
フレームヘの注入用アダプターの取り付けがフレームに設けた孔にアダプターをハンマーで打込むことで可能なら研削、ボス取付、接着剤の乾燥、研磨を行わずに済ますことができるので大幅な作業アップにつながる。
【０００５】
しかし、フレームの下面からの配管アダプターのハンマーによる打ち込みには、フレームの基盤１１ａと配管アダプター１２を打ち込むフレームの下面１１ｂとの高さが不十分で行うことができない。
【０００６】
本発明は、フレームの下面から配管アダプターを打ち込むことができる部品打込具および、それを用いて部品を機械、模型等の基体（フレーム）に打ち込む方法の提供を目的とする。
【０００７】
本発明の１は、機械、模型、成形用型等の基体の穴部またはへっこみ部に部品を打ち込み係合させる部品打込具であって、該部品打込具（１）は、基台（７）より起立して設けた一対の凹状荷台（２）を跨いで設けられた係止ピン（８）回りに回動自在にその略中央部が保持された長尺状アーム（３）と、該長尺状アームの長手方向の一端に設けられた切欠部（１０）を跨いで設けられたピン（９）回りに回動可能に保持されたハンマー（４）を備えており、該ハンマー（４）の頭部には打ち込む部品を係止することができる収納部（５）が設けられており、該収納部（５）が設けられた前記長尺状アーム（３）の他端を下降させることにより基体の穴部またはへっこみ部に前記部品が打ち込み可能であることを特徴とする部品打込具を提供するものである。
【０００８】
本発明の２は、部品打込具（１）の前記打ち込む部品を係止することができる収納部（５）に部品を係止させ、次いで該部品の挿入される頭の部分を基体に設けられた穴部またはへっこみ部に当接させた後、長尺状アーム（３）を下降させることにより、ハンマー（４）を上昇させて基体の穴部またはへっこみ部に前記部品を係合させることを特徴とする、部品の打ち込み方法を提供するものである。
【０００９】
【作用】
部品打込具のハンマー４の頭部に設けられた部品の収納部５に配管アダプターのホース取り付け部（ノズル部）を係止させ、ついで配管アダプターの基部をフレームの下面の嵌合用穴に臨ませた後、ハンマーが保持されていない側のアームを金づちや木づちでたたくことにより、たたかれたアーム側は下降し、ハンマーが保持されている側のアームは上昇し、配管アダプターはフレームの下面に設けられた穴に強制的に打ち込まれる。
【００１０】
ハンマーは、アームにピンにより回動自在に保持されているのでアームの上昇に伴って重力によりハンマーの頭部がフレーム下面に平行となるようにピンを軸に回動するのでアームに伝えられた金づちや木づちのエネルギーがハンマーを通して配管アダプターに有効に伝えられるので容易に、かつ、配管アダプターを変形させることなく配管アダプターをフレームの穴部またはくぼみ部に侵入させて係合させることができる。
【００１１】
【発明の実施の態様】
［実施例］
以下、図面を用いて本発明を説明する。
【００１２】
図１は本発明の部品打込具の斜視図、図２は部品である配管アダプターの一部切欠断面図、図３はフレームの基盤１１ａ上に本発明の部品打込具を載置し、配管アダプターの頭部分をフレーム１１の下面に設けられた穴に当接させた状態を示す平面図、図４は部品打込具の断面図である。
【００１３】
図１において、１は部品打込具、２は基台７上に起立して固定された凹状荷台、３は長尺状のアーム、４はハンマー、５はハンマーの頭部に設けられた部品を係止する収納部（孔）、６はフレームに複数の配管アダプターを取り付ける際、先に取り付けた配管アダプターのホースを取りつけるノズルが部品打込具のアーム３に当って作業が妨害されるのを防ぐ部品突出部を収納できる孔である。
【００１４】
８は、アーム３を凹状荷台２の凹型の谷部に回動自在に係止するピン、９はアーム３の一端に設けられた切欠部１０にハンマー４を回動自在に係止するピンである。ハンマー４の頭部はアームの表面より突出して設けるのが部品を係止する作業が容易となる。
【００１５】
ハンマー４は、アーム３の切欠部１０を形成する壁によりピン９の回りをハンマー４が一回転するのが妨がれる。又、アーム３も基台７により係止ピン８の回りを一回転するのが妨げられている。
【００１６】
図２において、配管アダプター２０は、フレーム１１の上面から下面を貫通して穿たれた穴部１１ｃに打ち込れる基部２１、フランジ部２２、ホース接続用ノズル部２３、流体（水、潤滑油、空気等）通路２４を備えている。配管アダプター２０の基部２１は、頭部の径を、例えばフレーム１１の下面に設けた穴部の直径が６ｍｍのときは直径５．９ｍｍ、基部中央を６．０ｍｍ、根部を６．１ｍｍとし、かつ、頭部の外周は配管用アダプター２０のフレーム１１の穴部への打込みを容易とするよう傾斜が設けられている。係止部２２の直径は６．３ｍｍ、ノズル径は約３．５ｍｍと設計されている。
【００１７】
図３において、部品打込具１のハンマー４の頭部の収納部５に配管用アダプター２０のホース接続用ノズル部２３を係止し、この頭部をフレームの穴部１１ｃに当てる。
【００１８】
ついで、ハンマーが保持されている側とは反対側のアーム３を金づちか木づちでたたくことにより、ハンマー４を保持した側のアームが上昇し、配管アダプターの基部２１がフレーム１１の穴部に嵌合される。
【００１９】
この際、アーム３の末端は弧状を描くが、ハンマー４はアーム３にピン９により回動自在に取りつけられているので常に基台７に対し垂直を保とうとし、配管アダプター２０のノズル部２３を変形させることはない。
【００２０】
このフレーム１１の穴部に取りつけられた配管用アダプター２０の油漏れテストは８ｋｇ／ｃｍ2 にも耐え、かつ、配管用アダプター２０のノズル部を指で引っ張っても引き抜くことができないほどフレームへの配管アダプター２０の係合は強固であった。
【００２１】
以上、フレームに配管アダプターを取り付ける例を挙げて説明したが、本発明の部品打込具１は、コネクター、ドライブファシング等の部品のレールや金型、模型等への打ち込みにも利用できる。
【００２２】
【発明の効果】
本発明の部品打込具によれば、打ち込む部品にネジ部を設ける必要はなく、かつ、接着剤も用いる必要なく容易に機械、金型等の基体、例えばフレームに打ち込み、係合させることができ、次の工程への作業に直に取り組むことができる利点がある。
【図面の簡単な説明】
【図１】本発明の部品打込具の斜視図である。
【図２】配管アダプターの一部切欠断面図である。
【図３】フレームの穴部に配管アダプターを部品打込具を用いて打ち込む状態を示す平面図である。
【図４】部品打込具の断面図である。
【図５】配管アダプターをフレームに植え込んだ従来の取り付け構造を示す部分断面図である。
【図６】ボスの斜視図である。
【図１】
0004034406.tif 000002
【図２】
0004034406.tif 000003
【図３】
0004034406.tif 000004
【図４】
0004034406.tif 000005
【図５】
0004034406.tif 000006
【図６】
0004034406.tif 000007